(57)【要約】【課題】接続が確実で、被覆材の温度による伸び縮みに対しても対応が可能な手摺用接続具を提供する。【解決手段】芯材とこの芯材に被せられる被覆材からなる手摺部材を接続するための接続具であって、円筒面の一側が長手方向に亘って開口された被覆部とこの被覆部の内面壁に設けられた当接部からなりこの当接部が接続される手摺部材の芯材外壁に当接されるようになされ、被覆部内面が被覆材に当接されるようになされていることを特徴とするものであり、手摺用接続具を接続する手摺部材の芯材に固着することができるので、芯材と被覆剤の線膨張係数の違いによる変化に容易に対応することができるし、手摺部材と手摺用接続具の接着性に優れる。手摺用接続具は手摺部材の芯材に取り付けることができるので、被覆材の材質に係わらず強固に取り付けられる。【選択図】        図３
2005282116.tif 000002
【特許請求の範囲】
【請求項１】
芯材とこの芯材に被せられる被覆材からなる手摺部材を接続するための接続具であって、円筒面の一側が長手方向に亘って開口された被覆部とこの被覆部の内面壁に設けられた当接部からなりこの当接部が接続される手摺部材の芯材外壁に当接されるようになされ、被覆部内面が被覆材に当接されるようになされていることを特徴とする手摺用接続具。
【発明の詳細な説明】
【技術分野】
【０００１】
本発明は、階段や廊下などの壁面に設置される手摺において、手摺部材と手摺部材を接続するための手摺用接続具に関し、特に金属製の芯材に合成樹脂製被覆材を被せた手摺部材に好適に用いられる手摺用接続具に関する。
【背景技術】
【０００２】
【特許文献１】特開平１０−１８５３６号公報  従来、特開平１０−１８５３６号公報には、線膨張係数が異なる長尺部材を厚さ方向に複数個組み合わせた複合手摺同士の端部を長手方向に沿って接続するために当該複合手摺同士の端部間に挟み込まれるジョイントリングであって、そのジョイントリングは、複合手摺を形成する各々の長尺部材よりも軟らかな軟質材から形成されていることを特徴とするジョイントリングが提案されている。
【０００３】
又、手摺部材の被覆材に筒状の接続具を被せ、被覆材と接続具を粘着剤などの接着剤で接着するという方法が知られている。
【発明の開示】
【発明が解決しようとする課題】
【０００４】
しかしながら上記の如き特開平１０−１８５３６号公報に提案されているジョイントリングにおいては、手摺の長手方向の線膨張に対しても対応することができて、外観を良好に維持することができるという効果があるものの、接続部分に必ず手摺継手ブラケットを使わねばならないという問題があった。又、ジョイントリングの弾性変形によってのみ各部材の変形に対応しているため大きな変形に対応することができないという問題があった。
又、合成樹脂製被覆材に筒状の接続具を被せて粘着剤などの接着剤で固定するという方法においては、合成樹脂製被覆材がエラストマーなどの軟質合成樹脂から一般には作製されるが、この軟質合成樹脂が一般の粘着剤と接着性が悪いという問題があった。
【０００５】
又、合成樹脂製被覆材に筒状の接続具を被せて粘着剤などの接着剤で固定するという方法においては、合成樹脂製被覆材がエラストマーなどの軟質合成樹脂から一般には作製されるが、この軟質合成樹脂が一般の粘着剤と接着性が悪いという問題があった。
【０００６】
そこで本発明者は従来の欠点に鑑み鋭意研究の結果、接続が確実で、被覆材の温度による伸び縮みに対しても対応が可能な手摺用接続具を提供する。
【課題を解決するための手段】
【０００７】
本発明請求項１記載の手摺用接続具は、芯材とこの芯材に被せられる被覆材からなる手摺部材を接続するための接続具であって、円筒面の一側が長手方向に亘って開口された被覆部とこの被覆部の内面壁に設けられた当接部からなりこの当接部が接続される手摺部材の芯材外壁に当接されるようになされ、被覆部内面が被覆材に当接されるようになされていることを特徴とするものであり、手摺用接続具を接続する手摺部材の芯材に固着することができるので、芯材と被覆剤の線膨張係数の違いによる変化に容易に対応することができるし、手摺部材と手摺用接続具の接着性に優れる。
【発明の効果】
【０００８】
上述の如く、本発明請求項１記載の手摺用接続具は、芯材とこの芯材に被せられる被覆材からなる手摺部材を接続するための接続具であって、円筒面の一側が長手方向に亘って開口された被覆部とこの被覆部の内面壁に設けられた当接部からなりこの当接部が接続される手摺部材の芯材外壁に当接されるようになされ、被覆部内面が被覆材に当接されるようになされていることを特徴とするものであり、手摺用接続具を接続する手摺部材の芯材に固着することができるので、芯材と被覆剤の線膨張係数の違いによる変化に容易に対応することができるし、手摺部材と手摺用接続具の接着性に優れる。手摺用接続具は手摺部材の芯材に取り付けることができるので、被覆材の材質に係わらず強固に取り付けられる。
【発明を実施するための最良の形態】
【０００９】
以下、図面を参照しながら本発明に付いて説明する。
図１は本発明手摺用接続具の実施形態の一例を示す断面図であり、図２は図１のＡ−Ａ断面図である。図に於いて、１は手摺用接続具であり、円筒形の被覆部１１の下面が開口されて導入部１３となされている。被覆部１１の内面にはＴ型の当接部１２が設けられている。
【００１０】
図３は手摺部材２に取り付けられた手摺用接続具１を説明するため、被覆材２２の一部を透視した正面図である。図に於いて、手摺用接続具１は、芯材２１の左右の上の角に形成された円弧面に適合する形状となされ、被覆材２２に被せられると当接部１２が芯材２１の左右の上の角に当接されるようになされている。当接部１２と芯材２１は接着など適宜方法で固着されればよいし、ビスなどで固着されてもよい。
【００１１】
接続部材の取付においては、接続される手摺部材２の端部の被覆材２２を図４に示すように当接部１２の長さＬの１／２より稍大きく切除し当接部１２が芯材２１の角に当接されると被覆材２２の外面を被覆部１１が覆うようになされている。被覆部１１の下面は開口されて導入部１３となされているので、手摺用接続具１を手摺部材２の上から押し被せるだけで手摺部材２を容易に接続することができる。
【００１２】
本発明における手摺用接続具は、特に材質が限定されるものではなく合成樹脂や金属から適宜作製されればよいが、ＡＡＳ樹脂やＡＥＳ樹脂などが耐候性に優れ、指触感にも優れるので特に好適に用いられる。手摺部材２の被覆材２２は一般には合成樹脂から作製されるが、特に指触感に優れ、廃棄時にダイオキシンなどの発生がないオレフィン系エラストマーが好適に用いられる。手摺部材２の芯材２１はアルミ合金形材が好適に用いられるが、これに限定されるものではなく、合成樹脂製型材や、鋼管などの金属管が用いられてもよい。
【図面の簡単な説明】
【００１３】
【図１】本発明手摺用接続具の実施形態の一例を示す断面図である。
【図２】図１のＡ−Ａ断面図である。
【図３】手摺部材に取り付けられた手摺用接続具を説明するため、被覆材の一部を透視した正面図である。
【図４】手摺部材と手摺用接続具の接続方法を説明する斜視図である。
【符号の説明】
【００１４】
１    手摺用接続具
１１  被覆部
１２  当接部
１３  導入部
２    手摺部材
２１  芯材
２２  被覆材
【図１】
2005282116.tif 000003
【図２】
2005282116.tif 000004
【図３】
2005282116.tif 000005
【図４】
2005282116.tif 000006